(57)【要約】【課題】温度変化に関わらず、異なる種類の光情報記録媒体に対して互換可能に情報の記録及び／又は再生を行える光ピックアップ装置を提供する。【解決手段】波長λ１の光束が対物レンズＯＢＪの光学面を通過した際における色収差量ΔｆＢが所定の範囲内にあれば、屈折面のみからなる一般的な対物レンズＯＢＪと同等又はそれ以下の色収差となるから、回折構造に色収差を抑制する機能を持たせる必要がなくなり、回折構造の輪帯数を抑えることができる。従って、一般的な樹脂素材を用いて対物レンズを形成し、温度変化に対して発振波長変化を生ずる半導体レーザを用いた場合には、温度変化に起因した球面収差劣化を効果的に抑制できる。【選択図】図１
2007242115.tif 000002
【特許請求の範囲】
【請求項１】
波長λ１（ｎｍ）の第１光源と、波長λ２（ｎｍ）（λ１＜λ２）の第２光源と、カップリングレンズ及び対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（ｔ１≦ｔ２）の保護層を介して第２光情報記録媒体の情報記録面に集光させることによって、情報の記録及び／又は再生を行うことが可能となっている光ピックアップ装置であって、
前記第１光源と前記第２光源とは、前記カップリングレンズから光学的に等距離に配置されており、
前記波長λ１の光束と前記波長λ２の光束が共通して通過する前記対物レンズの光学面には第１回折構造が設けられており、前記第１回折構造の光軸方向の平均段差量をｄ１で表したときに、以下の式（１）を満たし、
前記波長λ１の光束が前記対物レンズの光学面を通過した際における色収差量ΔｆＢは、以下の式（２）を満たし
前記波長λ１の光束と前記波長λ２の光束が共通して通過する前記カップリングレンズの光学面には第２回折構造が形成されており、前記第２回折構造の光軸方向の平均段差量をｄ２で表したときに、以下の式（３）を満たし、
更に、以下の式（４）、（５）及び（６）を満たすことを特徴とする光ピックアップ装置。
λ１×２／（ｎ１−１）×１．０  ≦  ｄ１（μｍ）  ≦  λ１×２／（ｎ１−１）×１．３            （１）
−０．５  ≦  ΔｆＢ（μｍ／ｎｍ）  ≦  ０．５    （２）
λ１×２／（ｎ２−１）×１．０  ≦  ｄ２（μｍ）  ≦  λ１×２／（ｎ２−１）×１．３            （３）
−１．５×１０-4  ≦  Δｎ（℃―1）  ≦  −１．０×１０-4            （４）
０．０４  ≦  ΔＷ（ｎｍ／℃）  ≦  ０．０７        （５）
−０．０８  ＜  ｍ２−ｍ１  ＜  ０．０１            （６）
但し、
ｍ１：前記第１光情報記録媒体に対して情報の記録又は再生を行う際の前記対物レンズの倍率
ｆ１：前記第１光情報記録媒体に対して情報の記録又は再生を行う際の前記対物レンズの焦点距離
ｍ２：前記第２光情報記録媒体に対して情報の記録又は再生を行う際の前記対物レンズの倍率
ｎ１：前記第１回折構造を形成する材料の、波長λ１の光に対する屈折率
ｎ２：前記第２回折構造を形成する材料の、波長λ１の光に対する屈折率
Δｎ：前記カップリングレンズ及び前記対物レンズの材料の、波長λ１の光における温度変化に対する屈折率変化量
ΔＷ：前記第１光源の温度に対する波長変化量
【請求項２】
以下の式を満たすことを特徴とする請求項１に記載の光ピックアップ装置。
１．５  ＜  ｆ１（ｍｍ）  ＜  ３．５              （７）
但し、
ｆ１：前記第１光情報記録媒体に対して情報の記録及び／又は再生を行う際の前記対物レンズの焦点距離
【請求項３】
前記第１光情報記録媒体の情報記録面から反射した光束と、前記第２光情報記録媒体の情報記録面から反射した光束は、共通の光検出器の受光面に入射することを特徴とする請求項１又は２に記載の光ピックアップ装置。
【請求項４】
以下の式を満たすことを特徴とする請求項１〜３に記載の光ピックアップ装置。
−１／６  ≦  ｍＧ  ≦  −１／１０              （８）
但し、
ｍＧ：前記第１光情報記録媒体に対して情報の記録又は再生を行う際の前記対物レンズと前記カップリングレンズからなる合成系の倍率
【請求項５】
前記第１光源と前記第２光源とは共通のパッケージ内に収容されていることを特徴とする請求項１〜４のいずれかに記載の光ピックアップ装置。
【請求項６】
波長λ３（λ２＜λ３）の第３光源を有し、前記集光光学系が、前記第３光源からの光束を、厚さｔ３（ｔ２＜ｔ３）の保護層を介して第３光情報記録媒体の情報記録面に集光させることによって、情報の記録及び／又は再生を行うことが可能となっていることを特徴とする請求項１〜５のいずれかに記載の光ピックアップ装置。
【発明の詳細な説明】
【技術分野】
【０００１】
本発明は、光ピックアップ装置に関し、特に異なる光情報記録媒体に対して互換可能に情報の記録及び／又は再生を行える光ピックアップ装置に関する。
【背景技術】
【０００２】
近年、波長４００ｎｍ程度の青紫色半導体レーザを用いて、情報の記録及び／又は再生（以下、「記録及び／又は再生」を、「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。以下、本明細書では、このような光ディスクを「高密度光ディスク」と呼ぶ。
【０００３】
一方、高密度光ディスクに対してのみ情報の記録／再生ができると言うだけでは、光ディスクプレーヤやレコーダといった製品（以下、光ディスクプレーヤ／レコーダという）としての価値は十分なものとはいえない場合がある。現在において、多種多様な情報を記録したＤＶＤやＣＤ（コンパクトディスク）が販売されている現実をふまえると、例えばユーザが所有しているＤＶＤやＣＤに対しても同様に適切に情報の記録／再生ができるようにすることが、高密度光ディスク用の光ディスクプレーヤ／レコーダとしての商品価値を高める。このような背景から、高密度光ディスク用の光ディスクプレーヤ／レコーダ等に搭載される光ピックアップ装置は、高密度光ディスクとＤＶＤやＣＤに対しても適切に情報を記録／再生できる性能を有することが望まれる。
【０００４】
ここで、高密度光ディスクとＤＶＤやＣＤに対しても互換性を維持しながら適切に情報を記録及び／又は再生できるようにする手法として、高密度光ディスク用の光学系とＤＶＤやＣＤ用の光学系とを情報を記録及び／又は再生する光ディスクの記録密度に応じて選択的に切り替えるものが考えられるが、複数の光学系が必要となるので、小型化に不利であり、またコストが増大する。
【０００５】
そこで、光ピックアップ装置の構成を簡素化し低コスト化を図るために、互換性を有する光ピックアップ装置においても、高密度光ディスク用の光学系とＤＶＤやＣＤ用の光学系とを可能な限り共通化して、光ピックアップ装置を構成する光学部品点数を極力減らすのが好ましいといえる。又、光ディスクに対向して配置される対物光学系を共通化することが光ピックアップ装置の構成の簡素化、低コスト化に最も有利となる。
【０００６】
ところで、低コスト且つ軽量な光ピックアップ装置を提供するために、光学素子に安価で軽量な樹脂素材を用いる場合がある。かかる場合の一つの問題は、一般的に樹脂素材が温度変化に対する屈折率変化が大きく、温度変化に起因して顕著な球面収差劣化が生じるということである。これに対し、特許文献１には、温度変化が生じたときに、変形したコリメートレンズから出射する光束を発散光又は収束光として対物レンズに入射させ、それによりアンダーもしくはオーバーの球面収差を発生させることで、温度変化に起因する球面収差劣化を抑えるようにした光ピックアップ装置が開示されている。
【特許文献１】特開２００１−２３２２８号公報
【発明の開示】
【発明が解決しようとする課題】
【０００７】
しかるに、特許文献１の技術では、半導体レーザの環境温度変化による発振波長変化については考慮していない。光ピックアップ装置に用いられる半導体レーザの中には、０．０５（ｎｍ／℃）前後の温度特性を有するものもあり、そのような半導体レーザを用いた場合には、温度変化に起因する発振波長変化が生じたときに、特許文献１の技術では球面収差が残る恐れがある。
【０００８】
本発明は、かかる従来技術の問題点に鑑みてなされたものであり、温度変化に関わらず、異なる種類の光情報記録媒体に対して互換可能に情報の記録及び／又は再生を行える光ピックアップ装置を提供することを目的とする。
【課題を解決するための手段】
【０００９】
請求項１に記載の光ピックアップ装置は、波長λ１（ｎｍ）の第１光源と、波長λ２（ｎｍ）（λ１＜λ２）の第２光源と、カップリングレンズ及び対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（ｔ１≦ｔ２）の保護層を介して第２光情報記録媒体の情報記録面に集光させることによって、情報の記録及び／又は再生を行うことが可能となっている光ピックアップ装置であって、
前記第１光源と前記第２光源とは、前記カップリングレンズから光学的に等距離に配置されており、
前記波長λ１の光束と前記波長λ２の光束が共通して通過する前記対物レンズの光学面には第１回折構造が設けられており、前記第１回折構造の光軸方向の平均段差量をｄ１で表したときに、以下の式（１）を満たし、
前記波長λ１の光束が前記対物レンズの光学面を通過した際における色収差量ΔｆＢは、以下の式（２）を満たし
前記波長λ１の光束と前記波長λ２の光束が共通して通過する前記カップリングレンズの光学面には第２回折構造が形成されており、前記第２回折構造の光軸方向の平均段差量をｄ２で表したときに、以下の式（３）を満たし、
更に、以下の式（４）、（５）及び（６）を満たすことを特徴とする。
λ１×２／（ｎ１−１）×１．０  ≦  ｄ１（μｍ）  ≦  λ１×２／（ｎ１−１）×１．３            （１）
−０．５  ≦  ΔｆＢ（μｍ／ｎｍ）  ≦  ０．５    （２）
λ１×２／（ｎ２−１）×１．０  ≦  ｄ２（μｍ）  ≦  λ１×２／（ｎ２−１）×１．３            （３）
−１．５×１０-4  ≦  Δｎ（℃―1）  ≦  −１．０×１０-4            （４）
０．０４  ≦  ΔＷ（ｎｍ／℃）  ≦  ０．０７        （５）
−０．０８  ＜  ｍ２−ｍ１  ＜  ０．０１            （６）
但し、
ｍ１：前記第１光情報記録媒体に対して情報の記録又は再生を行う際の前記対物レンズの倍率
ｆ１：前記第１光情報記録媒体に対して情報の記録又は再生を行う際の前記対物レンズの焦点距離
ｍ２：前記第２光情報記録媒体に対して情報の記録又は再生を行う際の前記対物レンズの倍率
ｎ１：前記第１回折構造を形成する材料の、波長λ１の光に対する屈折率
ｎ２：前記第２回折構造を形成する材料の、波長λ１の光に対する屈折率
Δｎ：前記カップリングレンズ及び前記対物レンズの材料の、波長λ１の光における温度変化に対する屈折率変化量
ΔＷ：前記第１光源の温度に対する波長変化量
【００１０】
本発明は、温度変化に起因した光源の発振波長変化を利用して、光学素子の屈折率変化に起因する球面収差を補正するものである。まず原理的には、光学素子の光学面に形成した回折構造を光束が通過する際に生じる回折効果を、発振波長変化に応じて変えることで、球面収差の補正を行うことができる。しかるに、前記カップリングレンズと前記対物レンズの光学面に回折構造を形成した場合、その輪帯数が多いと、熱変形時にピッチの変化量による球面収差変化が大きくなり、球面収差が残留する場合がある。特に青紫色光のような短波長の光束を用いた場合、かかる現象が顕著となる。そこで、本発明においては、回折構造の輪帯数を減少させる条件を与えることで、温度変化に起因する球面収差を抑えるようにしている。
【００１１】
より具体的には、前記波長λ１の光束が前記対物レンズの光学面を通過した際における色収差量ΔｆＢが（２）式を満たすようにすれば、屈折面のみからなる一般的な対物レンズと同等又はそれ以下の色収差となるから、回折構造に色収差を抑制する機能を持たせる必要がなくなり、更に（６）式を満たすことと相まって、回折構造の輪帯数を減少させることができ、これにより収差補正を適切に行える。従って、（４）式を満たす一般的な樹脂素材を用いて対物レンズを形成し、（５）式を満たす特性の光源を用いた場合には、温度変化に起因した球面収差劣化を効果的に抑制できる。尚、色収差量とは、光源の波長が１ｎｍ変化したときのベストデフォーカスの変移量をいう。
【００１２】
更に、（１）、（３）式を満たすように前記第１回折構造及び前記第２回折構造を設計すれば、いずれの回折構造を通過しても、波長λ１の光束は２次回折光が最も強度が高まり、波長λ２の光束は１次回折光が最も強度が高まるので、低次の回折光を用いることで、波長、温度変化による回折効率変動を小さくすることができる。なお、平均段差量ｄ１は、対物レンズにおいて、λ１、λ２の２つの波長が共通して通過する領域に形成されている回折構造の段差量の平均値を指す。つまり、当該領域に形成されている段差量の総和を、段差の数で割った値となる。また、波長λ３の第三の光源を有する場合は、平均段差量ｄ１は、対物レンズにおいて、λ１、λ２、λ３の３つの波長が共通して通過する領域に形成されている回折構造の段差量の平均値を指す。また、平均段差量ｄ２は、カップリングレンズにおいて、λ１、λ２の２つの波長が共通して通過する領域に形成されている回折構造の段差量の平均値を指す。つまり、当該領域に形成されている段差量の総和を、段差の数で割った値となる。また、波長λ３の第三の光源を有する場合であっても、平均段差量ｄ２は、対物レンズにおいて、λ１、λ２の２つの波長が共通して通過する領域に形成されている回折構造の段差量の平均値を指す。
【００１３】
請求項２に記載の光ピックアップ装置は、請求項１に記載の発明において、以下の式を満たすことを特徴とするので、対物レンズの焦点距離を抑えて光ピックアップ装置を薄型なものとできる。より具体的には、ｆ１を（７）式の上限未満とすることで、第１光情報記録媒体使用時における温度変化に起因する球面収差の補正効果を高めることができ、ｆ１を（７）式の下限を超えるようにすることで回折輪帯のピッチを製造可能な大きさにすることができる。
１．５  ＜  ｆ１（ｍｍ）  ＜   ３．５        （７）
但し、
ｆ１：前記第１光情報記録媒体に対して情報の記録及び／又は再生を行う際の前記対物レンズの焦点距離
【００１４】
請求項３に記載の光ピックアップ装置は、請求項１又は２に記載の発明において、前記第１光情報記録媒体の情報記録面から反射した光束と、前記第２光情報記録媒体の情報記録面から反射した光束は、共通の光検出器の受光面に入射することを特徴とするので、共通の光検出器を用いることにより、光ピックアップ装置のコンパクト化を図ることができる。
【００１５】
請求項４に記載の光ピックアップ装置は、請求項１〜３のいずれかに記載の発明において、以下の式を満たすことを特徴とするので、第１光情報記録媒体使用時における温度変化に起因する球面収差の補正効果を高めることができる。また、現在市販されているレーザパワーに対してセンサに到達する光量を、記録／再生に適切な量にすることができる。
−１／６  ≦  ｍＧ  ≦  −１／１０              （８）
但し、
ｍＧ：前記第１光情報記録媒体に対して情報の記録又は再生を行う際の前記対物レンズと前記カップリングレンズからなる合成系の倍率
【００１６】
請求項５に記載の光ピックアップ装置は、請求項１〜４のいずれかに記載の発明において、前記第１光源と前記第２光源とは共通のパッケージ内に収容されていることを特徴とするので、光ピックアップ装置の更なるコンパクト化を図ることができる。
【００１７】
請求項６に記載の光ピックアップ装置は、請求項１〜４のいずれかに記載の発明において、波長λ３（λ２＜λ３）の第３光源を有し、前記集光光学系が、前記第３光源からの光束を、厚さｔ３（ｔ２＜ｔ３）の保護層を介して第３光情報記録媒体の情報記録面に集光させることによって、情報の記録及び／又は再生を行うことが可能となっていることを特徴とする。
【００１８】
本明細書中において、対物レンズとは、光ピックアップ装置に光情報記録媒体を装填した状態において、最も光情報記録媒体側の位置で、これと対向すべく配置される集光作用を有するレンズを指し、そのレンズと共に、アクチュエータによって少なくともその光軸方向に作動可能なレンズ群を指すものとする。
【発明の効果】
【００１９】
本明細書中において、対物レンズとは、光ピックアップ装置に光情報記録媒体を装填した状態において、最も光情報記録媒体側の位置で、これと対向すべく配置される集光作用を有するレンズ及び、そのレンズを駆動するアクチュエータに取り付けられて、そのレンズと共に一体的に駆動される集光作用を有する光学素子又はレンズを有する場合には、それら光学素子又はレンズを含めた光学素子群をさすものとする。つまり、対物レンズは、好ましくは単玉のレンズであるが、複数のレンズからなっていても良い。
【発明を実施するための最良の形態】
【００２０】
以下、本発明の実施の形態を図面を参照して説明する。図１は、異なる光情報記録媒体（光ディスクともいう）であるＨＤとＤＶＤとＣＤに対して適切に情報の記録／再生を行える本実施の形態の光ピックアップ装置ＰＵ１の構成を概略的に示す図である。かかる光ピックアップ装置ＰＵ１は、光情報記録再生装置に搭載できる。
【００２１】
光ピックアップ装置ＰＵ１は、高密度光ディスクであるＨＤに対して情報の記録／再生を行う場合に発光されλ１＝４０７ｎｍの青紫色レーザ光束（第１光束）を射出する第１半導体レーザ、及びＤＶＤに対して情報の記録／再生を行う場合に発光されλ２＝６５５ｎｍの赤色レーザ光束（第２光束）を射出する第２半導体レーザを対物レンズから等距離で共通のパッケージ内に収容した２レーザ１パッケージ２Ｌ１Ｐ，ＣＤに対して情報の記録／再生を行う場合に発光されλ３＝７８５ｎｍの赤外レーザ光束（第３光束）を射出する第３半導体レーザ（第３光源）とＣＤ用光検出器とが一体化されたＣＤホロレーザＬＤ３、ＨＤ／ＤＶＤ共用の光検出器ＰＤ、回折構造が形成されているカップリングレンズ（出射角変換素子ともいう、以下同じ）ＣＵＬ、入射したレーザ光束を光ディスクの情報記録面上に集光させる機能を有する対物レンズＯＢＪ、偏光ビームスプリッタ（分離手段ともいう、以下同じ）ＰＢＳ、ダイクロイックプリズムＤＰ（又はハーフミラー）、λ／４波長板ＱＷＰ、光ディスクの反射光束に対して非点収差を付加するためのセンサーレンズＳＮとから構成されている。カップリングレンズＣＵＬと対物レンズＯＢＪの光学面には、波長λ１の光束が通過したときに２次回折光の光量が最も高くなり、波長λ２、λ３の光束が通過したときに１次回折光の光量が最も高くなる回折構造がそれぞれ形成されている。尚、ＨＤ用の光源として、上述の半導体レーザＬＤ１の他に青紫色ＳＨＧレーザを使用することもできる。
【００２２】
光ピックアップ装置ＰＵ１において、ＨＤに対して情報の記録／再生を行う場合には、２レーザ１パッケージ２Ｌ１Ｐの第１半導体レーザ（第１光源ともいう、以下同じ）を発光させる。第１半導体レーザから射出された発散光束は、偏光ビームスプリッタＰＢＳを通過し、ダイクロイックプリズムＤＰを通過した後、カップリングレンズＣＵＬにより収束角θ１の有限収束光束に変換され、λ／４波長板ＱＷＰを通過し、図示しない絞りにより光束径が規制され、対物レンズＯＢＪによってＨＤの保護層を介して情報記録面上に形成されるスポットとなる。対物レンズＯＢＪは、その周辺に配置された２軸アクチュエータ（不図示）によってフォーカシングやトラッキングを行う。
【００２３】
ＨＤの情報記録面で情報ピットにより変調された反射光束は、再び対物レンズＯＢＪ及びλ／４波長板ＱＷＰを透過した後、カップリングレンズＣＵＬ、ダイクロイックプリズムＤＰを通過して、偏光ビームスプリッタＰＢＳで反射し、センサーレンズＳＮにより非点収差が付加され、光検出器ＰＤの受光面上に収束する。そして、光検出器ＰＤの出力信号を用いてＨＤに記録された情報を読み取ることができる。
【００２４】
また、光ピックアップ装置ＰＵ１において、ＤＶＤに対して情報の記録／再生を行う場合には、２レーザ１パッケージ２Ｌ１Ｐの第２半導体レーザ（第２光源ともいう、以下同じ）を発光させる。第２半導体レーザから射出された発散光束は、偏光ビームスプリッタＰＢＳを通過し、ダイクロイックプリズムＤＰを通過した後、カップリングレンズＣＵＬにより収束角θ２（θ１≠θ２）の有限光束又は無限光束に変換され、λ／４波長板ＱＷＰを通過し、図示しない絞りにより光束径が規制され、対物レンズＯＢＪによってＤＶＤの保護層を介して情報記録面上に形成されるスポットとなる。対物レンズＯＢＪは、その周辺に配置された２軸アクチュエータ（不図示）によってフォーカシングやトラッキングを行う。
【００２５】
ＤＶＤの情報記録面で情報ピットにより変調された反射光束は、再び対物レンズＯＢＪ及びλ／４波長板ＱＷＰを透過した後、カップリングレンズＣＵＬ、ダイクロイックプリズムＤＰを通過して、偏光ビームスプリッタＰＢＳで反射し、センサーレンズＳＮにより非点収差が付加され、光検出器ＰＤの受光面上に収束する。そして、光検出器ＰＤの出力信号を用いてＤＶＤに記録された情報を読み取ることができる。
【００２６】
また、光ピックアップ装置ＰＵ１において、ＣＤに対して情報の記録／再生を行う場合には、ホロレーザＬＤ３を発光させる。ホロレーザＬＤ３から射出された発散光束は、ダイクロイックプリズムＤＰで反射され、カップリングレンズＣＵＬにより発散角θ３の有限発散光束に変換され、λ／４波長板ＱＷＰを通過し、図示しない絞りにより光束径が規制され、対物レンズＯＢＪによってＣＤの保護層を介して情報記録面上に形成されるスポットとなる。対物レンズＯＢＪは、その周辺に配置された２軸アクチュエータ（不図示）によってフォーカシングやトラッキングを行う。
【００２７】
ＣＤの情報記録面で情報ピットにより変調された反射光束は、再び対物レンズＯＢＪ及びλ／４波長板ＱＷＰ、カップリングレンズＣＵＬを透過した後、ダイクロイックプリズムＤＰで反射され、ホロレーザＬＤ３内の光検出器の受光面上に収束する。そして、光検出器の出力信号を用いてＣＤに記録された情報を読み取ることができる。
【００２８】
（実施例） 
以下、上述した実施の形態に好適な実施例について説明する。尚、これ以降（表のレンズデータ含む）において、１０のべき乗数（例えば、２．５×１０-3）を、Ｅ（例えば、２．５Ｅ―３）を用いて表すものとする。
【００２９】
対物光学系の光学面は、それぞれ数１式に、表に示す係数を代入した数式で規定される、光軸の周りに軸対称な非球面に形成されている。 
【００３０】
【数１】
2007242115.tif 000003
【００３１】
また、回折構造（位相構造）により各波長の光束に対して与えられる光路差は、数２式の光路差関数に、表に示す係数を代入した数式で規定される。 
【００３２】
【数２】
2007242115.tif 000004
【００３３】
（実施例１）
実施例１のレンズデータを表１に示す。実施例１においては、波長λ１の光束における光学倍率ｍ１が０．０３５であり、波長λ２の光束における光学倍率ｍ２が０．０３５であり、その差はゼロである。このとき、温度が３０℃変化した場合における、カップリングレンズと対物レンズとからなる合成系の球面収差ΔＴは０．０２１である。
【００３４】
【表１】
2007242115.tif 000005
【００３５】
（実施例２）
実施例２のレンズデータを表２に示す。実施例２においては、波長λ１の光束における光学倍率ｍ１が０．０３５であり、波長λ２の光束における光学倍率ｍ２が０．０００であり、その差は−０．０３５である。このとき、温度が３０℃変化した場合における、カップリングレンズと対物レンズとからなる合成系の球面収差ΔＴは０．０２３である。
【００３６】
【表２】
2007242115.tif 000006
【００３７】
（実施例３）
実施例３のレンズデータを表３に示す。実施例３においては、波長λ１の光束における光学倍率ｍ１が０．０４５であり、波長λ２の光束における光学倍率ｍ２が０．０２６であり、その差は−０．０１９である。このとき、温度が３０℃変化した場合における、カップリングレンズと対物レンズとからなる合成系の球面収差ΔＴは０．０１７である。
【００３８】
【表３】
2007242115.tif 000007
【００３９】
請求項に掲げた数値を表４にまとめて示す。
【００４０】
【表４】
2007242115.tif 000008
【図面の簡単な説明】
【００４１】
【図１】異なる光情報記録媒体（光ディスクともいう）であるＨＤとＤＶＤとＣＤに対して適切に情報の記録／再生を行える本実施の形態の光ピックアップ装置ＰＵ１の構成を概略的に示す図である。
【符号の説明】
【００４２】
ＣＵＬ カップリングレンズ
ＤＰ ダイクロイックプリズム
２Ｌ１Ｐ ２レーザ１パッケージ
ＬＤ３ 第３の半導体レーザ
ＯＢＪ 対物レンズ
ＰＢＳ 偏光ビームスプリッタ
ＰＤ 光検出器
ＰＵ１ 光ピックアップ装置
ＱＷＰ λ／４波長板
ＳＮ センサーレンズ
【図１】
2007242115.tif 000009